(57)【要約】【課題】電話機を使用したシンプルで安価なテレビドアホンシステムを提供する。【解決手段】玄関子機１０と、この玄関子機１０と公衆回線網Ｎに接続されて玄関子機１０からの音声信号を公衆回線網Ｎから切り替えて映像信号とともに出力するスイッチ回路１１Ｂを有するターミナル装置１１と、このターミナル装置１１に接続され、公衆回線網Ｎからの外線着信信号または玄関子機１０からの映像信号および音声信号がターミナル装置１１から入力されて、玄関子機１０からの映像信号および音声信号が入力されてきたときにこの映像信号による映像のディスプレイ１２Ｊへの表示と音声信号による音声の出力および音声信号のターミナル装置１１を介した玄関子機１０への出力を行う電話機１２とを備えている。【選択図】　　図２
2004112154.tif 000002
【特許請求の範囲】
【請求項１】
撮像部材と音声出入力部材を備えて撮像部材によって撮影された映像の映像信号の出力と音声出入力部材による音声信号の出入力を行うドアホン子機と、
このドアホン子機と公衆回線網に接続され、ドアホン子機からの音声信号を公衆回線網から切り替えて映像信号とともに出力する切替部材を有するターミナル装置と、
このターミナル装置に接続され、公衆回線網からの外線着信信号またはドアホン子機からの映像信号および音声信号がターミナル装置から入力されて、ドアホン子機からの映像信号および音声信号が入力されてきたときにこの映像信号による映像のディスプレイへの表示とこの音声信号による音声の出力および音声信号のターミナル装置を介したドアホン子機への出力を行う電話機と、
を備えていることを特徴とするテレビドアホンシステム。
【請求項２】
前記ドアホン子機が、撮像部材から出力される映像信号と音声出入力部材から出力される音声信号を混合してその混合信号をターミナル装置に出力するミキシング部材をさらに備えている請求項１に記載のテレビドアホンシステム。
【請求項３】
前記ターミナル装置が、ドアホン子機から入力されてくる混合信号から映像信号と音声信号を分離するフィルタ部材をさらに備え、前記切替部材が、このフィルタ部材と公衆回線網に接続されて、電話機との接続端子を公衆回線網からフィルタ部材に切り替えてこのフィルタ部材からの音声信号を電話機に出力する請求項２に記載のテレビドアホンシステム。
【請求項４】
前記電話機が、ターミナル装置から入力されてくる映像信号による映像を表示するディスプレイ部材を備えている請求項１に記載のテレビドアホンシステム。
【請求項５】
前記電話機が、それぞれディスプレイ部材を有する親機と子機を備えたコードレス電話機であり、前記ターミナル装置から入力されてくるドアホン子機からの映像信号と音声信号が親機に入力され、さらに、この親機から子機に送信されて、子機において、そのディスプレイ部材への映像信号による映像の表示が行われるとともに音声信号による音声の出力および音声信号の親機およびターミナル装置を介したドアホン子機への出力が行われる請求項１に記載のテレビドアホンシステム。
【請求項６】
前記コードレス電話機の親機が、ターミナル装置から入力されてくるドアホン子機からの映像信号と音声信号を混合するミキシング部材を備えていてこのミキシング部材による混合信号を子機に送信し、子機が、この親機からの混合信号を映像信号と音声信号に分離するフィルタ部材を備えている請求項５に記載のテレビドアホンシステム。
【請求項７】
ドアホン子機と公衆回線網と電話機に接続されて、撮像部材と音声出入力部材を備えたドアホン子機からの撮像部材による映像信号および音声出入力部材による音声信号と、公衆回線網からの外線着信信号と、電話機からの音声信号が入力され、ドアホン子機から入力されてきた映像信号を電話機に出力し、電話機との間の音声信号出入力端子を公衆回線網側からドアホン子機側に切り替えて接続してドアホン子機と電話機との間の音声信号の送受信を可能にする切替部材を備えていることを特徴とするテレビドアホンシステムのターミナル装置。
【請求項８】
ドアホン子機から入力されてくる映像信号と音声信号の混合信号を映像信号と音声信号に分離して出力するフィルタ部材をさらに備えている請求項７に記載のテレビドアホンシステムのターミナル装置。
【発明の詳細な説明】
【０００１】
【発明の属する技術分野】
この発明は、テレビモニタ機能を備えたドアホンシステムおよびこのテレビドアホンシステムに使用されるターミナル装置に関する。
【０００２】
【従来の技術】
近年、テレビモニタ機能を備えていて、玄関に設置されたドアホン子機に取り付けられているモニタカメラによって撮像された映像を、室内に設置されたドアホン親機に取り付けられているディスプレイに表示させることによって、室内から外の様子や来客の確認を行うことが出来るテレビドアホンと呼ばれるドアホンシステムが普及して来ている。
【０００３】
そして、電話機にも大型のディスプレイを備えたものが普及してきたことから、このようなディスプレイ付き電話機をテレビドアホンに接続することにより、ドアホン子機に取り付けられているモニタカメラによって撮像された映像を電話機のディスプレイに表示させながらドアホン子機と電話機との間の通話を可能にすることが考えられている。
【０００４】
このようなテレビドアホンとディスプレイ付き電話機との接続は、従来、図１に示されるように、電話ラインインタフェース回路や電話機への給電回路，ドアホンと公衆電話回線との切替スイッチ回路などを内蔵したアダプタ１を介して行われるようになっている。
【０００５】
すなわち、ディスプレイ付き電話機２がアダプタ１を介してテレビドアホン親機３に接続されて、このアダプタ１の切替スイッチ回路の作動によってディスプレイ付き電話機２が公衆電話回線からドアホン側に切り替えられると、テレビドアホン子機４からテレビドアホン親機３に送信されてくる映像信号および音声信号が、アダプタ１を介してディスプレイ付き電話機２に送られ、また、ディスプレイ付き電話機２からの音声信号がアダプタ１およびテレビドアホン親機３を介してテレビドアホン子機４に送信されることにより、ディスプレイ付き電話機２とテレビドアホン子機４との間での相互の通話か可能になるとともに、ディスプレイ付き電話機２に、テレビドアホン子機４に備えられたモニタカメラによって撮像された映像が表示されるようになっている。
【０００６】
このようなテレビドアホンとディスプレイ付き電話機との接続を行うアダプタは、例えば、特開２０００−３０７７３９号公報に記載されている。
【０００７】
【発明が解決しようとする課題】
上記のような従来のテレビドアホンシステムにおいては、ディスプレイ付き電話機２をテレビドアホンの室内側端末として使用するためには、別個に、ディスプレイ付き電話機２とテレビドアホン親機３を接続するためのアダプタ１を購入する必要があり、ユーザによっては負担が大きくなる。
【０００８】
この発明は、上記のような従来のテレビドアホンにおける問題点を解決するために為されたものである。
【０００９】
【課題を解決するための手段】
上記目的を達成するために、この発明の請求項１に記載されたテレビドアホンシステムは、撮像部材と音声出入力部材を備えて撮像部材によって撮影された映像の映像信号の出力と音声出入力部材による音声信号の出入力を行うドアホン子機と、このドアホン子機と公衆回線網に接続され、ドアホン子機からの音声信号を公衆回線網から切り替えて映像信号とともに出力する切替部材を有するターミナル装置と、このターミナル装置に接続され、公衆回線網からの外線着信信号またはドアホン子機からの映像信号および音声信号がターミナル装置から入力されて、ドアホン子機からの映像信号および音声信号が入力されてきたときにこの映像信号による映像のディスプレイへの表示とこの音声信号による音声の出力および音声信号のターミナル装置を介したドアホン子機への出力を行う電話機とを備えていることを特徴としている。
【００１０】
さらに、前記目的を達成するために、この発明の請求項７に記載されたテレビドアホンシステムのターミナル装置は、ドアホン子機と公衆回線網と電話機に接続されて、撮像部材と音声出入力部材を備えたドアホン子機からの撮像部材による映像信号および音声出入力部材による音声信号と、公衆回線網からの外線着信信号と、電話機からの音声信号が入力され、ドアホン子機から入力されてきた映像信号を電話機に出力し、電話機との間の音声信号出入力端子を公衆回線網側からドアホン子機側に切り替えて接続してドアホン子機と電話機との間の音声信号の送受信を可能にする切替部材を備えていることを特徴としている。
【００１１】
【発明の実施の形態】
以下、この発明の最も好適と思われる実施の形態について、図面を参照しながら詳細に説明を行う。
【００１２】
なお、以下においては、子機を有するコードレス電話機をテレビドアホンの室内側端末として使用する実施形態について説明を行うが、この発明は、映像表示が可能なディスプレイを備えた電話機であれば、ファクシミリ電話機等の他の種々の形態の電話機についても適用することができる。
【００１３】
図２は、この発明によるテレビドアホンシステムの実施形態の一例を示すシステム構成図である。
【００１４】
この図２において、テレビドアホンシステムは、テレビドアホンの玄関子機１０と、この玄関子機１０に接続されるターミナルボックス１１と、このターミナルボックス１１に接続されるコードレス電話機の親機１２および子機１３とによって構成されている。
【００１５】
玄関子機１０は、マイクロホン１０Ａと、スピーカ１０Ｂと、このマイクロホン１０Ａを介して入力されてくる音声信号およびスピーカ１０Ｂに出力する音声信号の信号処理を行う音声回路１０Ｃと、ＣＣＤカメラ１０Ｄと、このＣＣＤカメラ１０Ｄから入力されてくる映像信号の信号処理を行う映像回路１０Ｅと、音声回路１０Ｃおよび映像回路１０Ｅに接続されて音声信号と映像信号のミキシングを行ってそのミキシング信号の出力を行うとともに後述するようにターミナルボックス１１を介して入力されてくる音声信号の受信を行うミキシング回路１０Ｆを備えている。
【００１６】
ターミナルボックス１１は、玄関子機１０のミキシング回路１０Ｆに２線のコードＬ１を介して接続されてミキシング回路１０Ｆから送信されてくるミキシング信号から音声信号と映像信号を分離するとともにミキシング回路１０Ｆへの音声信号の出力を行うフィルタ回路１１Ａと、このフィルタ回路１１Ａおよび公衆電話回線網Ｎ，コードレス電話機の親機１２との接続端子ｔ１にそれぞれ接続されて接続端子ｔ１をフィルタ回路１１Ａと公衆電話回線網Ｎとに切り替えて接続するスイッチ回路１１Ｂを備えている。
【００１７】
コードレス電話機の親機１２は、図３に示されるように、外線接続端子Ｔ１，Ｔ２に入力される着信信号と受話信号の検波を行う検波回路１２Ａと、電話機と外線との回線接続を制御する回線制御回路１２Ｂと、この回線制御回路１２Ｂを介して入力されてくる音声信号の後述する他の回路への送出や外線への音声信号の送出を行う通話回路１２Ｃと、この通話回路１２Ｃを介して入力されてくる音声信号や外線に送出する音声信号の音声処理を行うとともに後述するＣＰＵに対してモデムとして機能するＤＳＰ（Ｄｉｇｉｔａｌ　Ｓｉｇｎａｌ　Ｐｒｏｃｅｓｓｏｒ）１２Ｄと、子機との間でＭＣＡ（マルチ・チャンネル・アクセス）方式による無線通話回路を形成する無線送受信回路１２Ｅと、子機との間で無線の送受信を行うアンテナ１２Ｆと、回線制御回路１２Ｂおよび通話回路１２Ｃ，ＤＳＰ１２Ｄ，無線送受信回路１２Ｅに接続されて後述するような各回路の作動制御を行うＣＰＵ１２Ｇと、このＣＰＵ１２Ｇに接続されて電話番号等のデータ入力や電話機操作を行うキースイッチ１２Ｈと、ＣＰＵ１２Ｇに接続されたドライバ１２Ｉおよびこのドライバ１２Ｉによって駆動される液晶パネルや有機ＥＬなどのディスプレイ１２Ｊとを備えている。
【００１８】
そして、ＣＰＵ１２Ｇには、ターミナルボックス１１の映像出力端子ｔ２に接続されてターミナルボックス１１から出力されてくる映像信号をＣＰＵ１２Ｇに入力させる映像信号入力端子Ｔ３が接続されている。
【００１９】
さらに、ＤＳＰ１２Ｄと無線送受信回路１２Ｅとの間に、ＤＳＰ１２Ｄから無線送受信回路１２Ｅに送られる受話信号とＣＰＵ１２Ｇから入力されてくる映像信号とをミキシングしてそのミキシング信号を無線送受信回路１２Ｅに出力するミキシング回路１２Ｋが接続されている。
【００２０】
なお、図３中、１２Ｌは外線接続端子Ｔ１，Ｔ２から入力されてくる着信信号を検出するリング回路であり、１２Ｍはこのリング回路１２Ｌによる着信信号の検出によって呼出音を鳴らすとともに音声信号による音声の出力を行うハンドセットスビーカであり、１２Ｎはハンドセットのマイクであり、１２Ｏは後述するようなオンフックモードへの切り換えを行うオンフックスイッチである。
【００２１】
このコードレス電話機の親機１２は、外線接続端子Ｔ１，Ｔ２とターミナルボックス１１の接続端子ｔ１との接続、および、映像信号入力端子Ｔ３とターミナルボックス１１の映像出力端子ｔ２との接続によって、ターミナルボックス１１に接続される。
【００２２】
コードレス電話機の子機１３は、親機１２との間で無線の送受信を行うアンテナ１３Ａと、このアンテナ１３Ａを介して親機１２との間でＭＣＡ方式による無線通話回路を形成する無線送受信回路１３Ｂと、この無線送受信回路１３Ｂを介して入力されてくる音声信号や外線に送出する音声信号の音声処理を行うとともに後述するＣＰＵに対してモデムとして機能するＤＳＰ（Ｄｉｇｉｔａｌ　Ｓｉｇｎａｌ　Ｐｒｏｃｅｓｓｏｒ）１３Ｃと、このＤＳＰ１３Ｃおよび無線送受信回路１３Ｂに接続されて後述するような各回路の作動制御を行うＣＰＵ１３Ｄと、このＣＰＵ１３Ｄに接続されて電話番号等のデータ入力や電話機操作を行うキースイッチ１３Ｅと、ＣＰＵ１３Ｄに接続されたドライバ１３Ｆおよびこのドライバ１３Ｆによって駆動される液晶パネルや有機ＥＬなどのディスプレイ１３Ｇとを備えている。
【００２３】
そして、無線送受信回路１３ＢとＤＳＰ１３Ｃとの間に、アンテナ１３Ａおよび無線送受信回路１３Ｂを介してコードレス電話機の親機１２から受信したミキシング信号から音声信号と映像信号を分離するとともに、この分離した映像信号をＣＰＵ１３Ｄに出力するフィルタ回路１３Ｊを備えている。
なお、この図４中、１３Ｈはマイク、１３Ｉはスピーカである。
【００２４】
次に、上記テレビドアホンシステムの作動について説明を行う。
図２において、玄関子機１０の図示しない呼び出しボタンが押されると、映像回路１０Ｅが駆動されてＣＣＤカメラ１０Ｄによる撮影が開始される。
【００２５】
このＣＣＤカメラ１０Ｄによって撮影された来客等の映像信号は、映像回路１０Ｅにおいて映像信号処理された後、ミキシング回路１０Ｆに出力される。
【００２６】
そして、このミキシング回路１０Ｆにおいて、映像回路１０Ｅから入力された映像信号は、マイクロホン１０Ａから入力されて音声回路１０Ｃにおいて音声信号処理された音声信号とミキシングされて、２線のコードＬ１を介してターミナルボックス１１のフィルタ回路１１Ａに出力される。
【００２７】
ターミナルボックス１１のフィルタ回路１１Ａは、玄関子機１０のミキシング回路１１Ｆからミキシング信号が入力されると、このミキシング信号から映像信号と音声信号を分離して、この分離された映像信号を映像出力端子ｔ２に出力し、音声信号をスイッチ回路１１Ｂに出力する。
【００２８】
スイッチ回路１１Ｂは、フィルタ回路１１Ａから音声信号が入力されると、接続端子ｔ１を、待機状態における公衆電話回線網Ｎとの接続状態からスイッチ回路１１Ｂとの接続状態に切り替えて、フィルタ回路１１Ａからの音声信号を接続端子ｔ１に出力する。
【００２９】
このようにして、映像信号が、ターミナルボックス１１の映像出力端子ｔ２からコードレス電話機の親機１２の映像信号入力端子Ｔ３に出力され、音声信号が、ターミナルボックス１１の接続端子ｔ１から親機１２の外線接続端子Ｔ１，Ｔ２に出力される。
【００３０】
コードレス電話機の親機１２において、外線接続端子Ｔ１，Ｔ２に入力された音声信号は、検波回路１２Ａおよび回線制御回路１２Ｂ，通話回路１２Ｃを介してスピーカ１２Ｍから出力され、映像信号入力端子Ｔ３から入力された映像信号はＣＰＵ１２Ｇを介してドライバ１２Ｉに入力され、この映像信号に基づく映像が、ＣＰＵ１２Ｇによるドライバ１２Ｉの駆動制御によってディスプレイ１２Ｊに表示される。
【００３１】
また、コードレス電話機の親機１２のマイク１２Ｎから入力されたユーザの音声は、通話回路１２Ｃおよび回線制御回路１２Ｂ，検波回路１２Ａを介して外線接続端子Ｔ１，Ｔ２からターミナルボックス１１の接続端子ｔ１に出力され、このターミナルボックス１１のスイッチ回路１１Ｂおよびフィルタ回路１１Ａを介して玄関子機１０のミキシング回路１０Ｆに出力され、この玄関子機１０のミキシング回路１０Ｆおよび音声回路１０Ｃを介してスピーカ１０Ｂから出力される。
【００３２】
このようにして、玄関子機１０のＣＣＤカメラ１０Ｄによって撮影された来客等の映像が、コードレス電話機の親機１２のディスプレイ１２Ｊに表示されるとともに、マイクロホン１０Ａに入力された来客等の音声が親機１２のスピーカ１２Ｍから出力され、また、コードレス電話機の親機１２に入力された音声が玄関子機１０のスピーカ１０Ｂから出力されて、玄関子機１０とコードレス電話機の親機１２との間の相互の通話が可能になるとともに、親機１２において、玄関子機１０に話し掛けている来客等の様子を、親機１２のディスプレイ１２Ｊに表示される映像によって確認することが出来る。
【００３３】
コードレス電話機の子機１３によって、玄関子機１０との間で通話が行われる場合には、ユーザによって子機１３の図示しない通話ボタンが押されると、親機１２において、前述したようにターミナルボックス１１を介して外線接続端子Ｔ１，Ｔ２に入力された玄関子機１０からの音声信号が、ＤＳＰ１２Ｄと無線送受信回路１２Ｅとの間に接続されたミキシング回路１２Ｋに入力され、また、ターミナルボックス１１を介して映像信号入力端子Ｔ３に入力された玄関子機１０からの映像信号が、ＣＰＵ１２Ｇを介してミキシング回路１２Ｋに入力されて、この音声信号と映像信号とがミキシング回路１２Ｋによってミキシングされる。
【００３４】
そして、このミキシング信号が、無線送受信回路１２Ｅを介してアンテナ１２Ｆから子機１３のアンテナ１３Ａに送信される。
【００３５】
子機１３において、アンテナ１３Ａにより受信された親機１２からのミキシング信号は、無線送受信回路１３Ｂを介してフィルタ回路１３Ｊに入力されて、このフィルタ回路１３Ｊにより、音声信号と映像信号に分離される。
【００３６】
そして、この音声信号は、ＤＳＰ１３Ｃを介してスピーカ１３Ｉから出力され、映像信号は、フィルタ回路１３ＪからＣＰＵ１３Ｄを介してドライバ１３Ｆに入力され、この映像信号に基づく映像が、ＣＰＵ１３Ｄによるドライバ１３Ｆの駆動制御によってディスプレイ１３Ｇに表示される。
【００３７】
また、子機１３のマイク１３Ｈから入力されたユーザの音声は、ＤＳＰ１３Ｃおよび無線送受信回路１３Ｂを介してアンテナ１３Ａから親機１２のアンテナ１２Ｆに送信され、親機１２の無線送受信回路１２ＥおよびＤＳＰ１２Ｄ，通話回路１２Ｃ，回線制御回路１２Ｂ，検波回路１２Ａを介して外線接続端子Ｔ１，Ｔ２からターミナルボックス１１の接続端子ｔ１に出力されて、前述したのと同様に、玄関子機１０のスピーカ１０Ｂから出力される。
【００３８】
このようにして、玄関子機１０のＣＣＤカメラ１０Ｄによって撮影された来客等の映像が、コードレス電話機の子機１３のディスプレイ１３Ｇに表示されるとともに、マイクロホン１０Ａに入力された来客等の音声が子機１３のスピーカ１２Ｉから出力され、また、子機１３に入力された音声が玄関子機１０のスピーカ１０Ｂから出力されて、玄関子機１０とコードレス電話機の子機１３との間の相互の通話が可能になるとともに、子機１３において、玄関子機１０に話し掛けている来客等の様子を、子機１３のディスプレイ１３Ｇに表示される映像によって確認することが出来る。
【００３９】
なお、アナログコードレス電話機においては、通話時の伝送速度が遅いので、音声信号に映像信号を重畳させることが出来ない場合がある。
【００４０】
このようなアナログコードレス電話機については、親機１２において玄関子機１０からの映像信号を切り出して静止画像信号を生成し、これを子機１３に送信するようにする。この場合、静止画像の切り出しと送信を周期的に行うようにすることにより、子機１３において静止画像をコマ送りのように表示させることができる。
【００４１】
そして、このような静止画像信号の送信を行う場合には、親機１２のミキシング回路１２Ｋは不要となり、ＣＰＵ１２Ｇからの映像信号は、無線送受信回路１２Ｅに直接入力される。
【００４２】
また、この場合、静止画像信号を受信する子機１３は、フィルタ回路１３ＪとＤＳＰ１３Ｃを備える必要が無くなり、受信した静止画像信号は、無線送受信回路１３ＢからＣＰＵ１３Ｄに入力されることによってディスプレイ１３Ｇに静止画像が表示され、音声信号は直接マイク１３Ｈとスピーカ１３Ｉに入力される。
【００４３】
一方、デジタルコードレス電話機やその他の伝送速度が速い機器については、音声信号に映像信号を重畳させることが可能なので、親機１２は、上記のようにミキシング回路１２Ｋによって映像信号と音声信号のミキシングを行って子機１３への送信を行う。
【００４４】
この映像信号と音声信号のミキシングは、ＤＳＰ１２Ｄによって行うようにしてもよい。
【００４５】
子機１３は、フィルタ回路１３Ｊによって音声信号と映像信号の分離を行うが、このフィルタ処理は、無線送受信回路１３ＢまたはＤＳＰ１３Ｃ，ＣＰＵ１３Ｄで行うようにしてもよい。
【００４６】
なお、上記のテレビドアホンシステムにおいて、ターミナルボックス１１のスイッチ回路１１Ｂは、待機状態においては、コードレス電話機の親機１２の外線接続端子Ｔ１，Ｔ２に接続される接続端子ｔ１を公衆電話回線網Ｎに接続していて、公衆電話回線網Ｎを介して送信されてきた外線着信信号を親機１２に送信するようになっている。
【００４７】
上記のようなテレビドアホンシステムにおいて、親機１２では、玄関子機１０から入力されてくる音声信号に対して音声処理を行わないようにしてもよい。
【００４８】
この場合には、玄関子機１０からの音声信号は、ＤＳＰ１２Ｄを介さずに通話回路１２Ｃから無線送受信回路１２Ｅに直接入力される。
【００４９】
また、親機１２によってハンズフリーによる通話を行うために、親機１２の本体にモニタスピーカとマイク（図示せず）を設けて、オンフックスイッチ１２Ｏ（図３参照）により、ハンズフリー通話を行うためのオンフックモードへの切り替えが行われるようにしても良い。
【００５０】
このハンズフリー通話時には、電話回線からの音声がモニタスピーカから出力され、親機１２の本体に取り付けられているハンズフリー用のマイクから入力される音声が電話回線に送出される。
【００５１】
このとき、スピーカから出力された電話回線からの音声が、設置環境に依存した遅延時間を持って再度ハンズフリー用マイクから電話回線に送出されることにより、入力された音声が電話回線を通して常にループを起こしてしまい、その結果、ハウリング現象を発生させる虞がある。
【００５２】
このハウリング現象の発生を防止するためには、出力された音声が遅延時間を持って再度送出されるのを抑止する必要があり、このためには、ＤＳＰ１２Ｄによって、電話回線から入力されてくる音声信号が電話回線に出力される音声信号と同一周波数成分を有していることが一定時間内に検出された際に、その周波数成分を削除するようなデジタル音声信号処理を行うようにすれば良い。
【００５３】
また、このハンズフリー通話は、玄関子機１０と親機１２，子機１３のそれぞれの間で行われるようにしてもよい。
【００５４】
上記テレビドアホンシステムによれば、テレビドアホンに電話機を接続して、電話機によってドアホンからの映像を表示させながらドアホンとの間で通話を行おうとする場合に、従来のように、テレビドアホンの親機にアダプタを介して電話機を接続する必要が無く、電話機によるシンプルで安価なテレビドアホンシステムを構成することが可能になる。
【００５５】
そして、このテレビドアホンシステムによれば、コードレス電話機の子機１３によっても、テレビドアホンからの映像を表示させながらテレビドアホンとの間での通話を行うことが可能である。
【００５６】
これによって、例えば、コードレス電話機の親機１２が住宅の一階に設置されている場合でも、子機１３を住宅の二階に置いておけば、来客があった場合等に、家人は、二階において、一階まで降りることなく、来客等の様子を子機１３のディスプレイ１３Ｇに表示された映像によって確認しながらドアホンとの通話を行うことが出来るようになる。
【００５７】
上記のようなこの発明によるテレビドアホンシステムの実施形態は、撮像部材と音声出入力部材を備えて撮像部材によって撮影された映像の映像信号の出力と音声出入力部材による音声信号の出入力を行うドアホン子機と、このドアホン子機と公衆回線網に接続され、ドアホン子機からの音声信号を公衆回線網から切り替えて映像信号とともに出力する切替部材を有するターミナル装置と、このターミナル装置に接続され、公衆回線網からの外線着信信号またはドアホン子機からの映像信号および音声信号がターミナル装置から入力されて、ドアホン子機からの映像信号および音声信号が入力されてきたときにこの映像信号による映像のディスプレイへの表示とこの音声信号による音声の出力および音声信号のターミナル装置を介したドアホン子機への出力を行う電話機とを備えているテレビドアホンシステムの実施形態を、その上位概念とするものである。
【００５８】
この上位概念の実施形態におけるテレビドアホンシステムは、住宅の玄関等に設置されたドアホン子機と室内等に設置された電話機とがターミナル装置を介して接続されて、ドアホン子機からターミナル装置に、ドアホン子機の撮像部材によって撮影された映像の映像信号と音声出入力部材による音声信号が出力されると、ターミナル装置は、その切替部材が、ドアホン子機からの音声信号を公衆電話回線網から切り替えて映像信号とともに電話機に出力する。
【００５９】
そして、電話機は、公衆電話回線網からの外線着信信号に代えてドアホン子機からの映像信号および音声信号がターミナル装置から入力されてくると、この映像信号による映像を、この電話機が装備しているディスプレイまたは外付けされたディスプレイに表示するとともにこの音声信号による音声を出力し、さらに、この電話機からの音声信号をターミナル装置を介してドアホン子機に出力する。
【００６０】
以上のように、上記のテレビドアホンシステムによれば、電話機をテレビドアホンの室内側端末機として、ドアホン子機との間で、来客等の様子を確認しながら通話が可能になるとともに、従来のように、テレビドアホンの親機の他にこの親機と電話機を接続するためのアダプタを必要とすることがなく、シンプルで安価なテレビドアホンシステムを提供することが出来るようになる。
【００６１】
さらに、上記のようなこの発明によるテレビドアホンシステムのターミナル装置の実施形態は、ドアホン子機と公衆回線網と電話機に接続されて、撮像部材と音声出入力部材を備えたドアホン子機からの撮像部材による映像信号および音声出入力部材による音声信号と、公衆回線網からの外線着信信号と、電話機からの音声信号が入力され、ドアホン子機から入力されてきた映像信号を電話機に出力し、電話機との間の音声信号出入力端子を公衆回線網側からドアホン子機側に切り替えて接続してドアホン子機と電話機との間の音声信号の送受信を可能にする切替部材を備えているテレビドアホンシステムのターミナル装置の実施形態を、その上位概念とするものである。
【００６２】
この上位概念の実施形態におけるテレビドアホンシステムターミナル装置は、住宅の玄関等に設置されたドアホン子機と室内等に設置された電話機とを接続して、電話機をテレビドアホンの室内側端末として使用するのに使用される。
【００６３】
そして、このターミナル装置は、公衆回線網から入力されてくる外線着信信号を電話機に出力するとともに、ドアホン子機からこのドアホン子機の撮像部材によって撮影された映像の映像信号と音声出入力部材による音声信号が出力されると、内蔵している切替部材が、ドアホン子機からの音声信号を公衆電話回線網から切り替えて映像信号とともに電話機に出力する。
【００６４】
そして、ターミナル装置は、電話機から音声信号が入力されてくると、この電話機からの音声信号をドアホン子機に出力して、このドアホン子機と電話機との間の通話を可能にする。
【００６５】
以上のように、上記のテレビドアホンシステムのターミナル装置によれば、電話機をテレビドアホンの室内側端末機として使用する際に、従来のように、テレビドアホンの親機の他にこの親機と電話機を接続するためのアダプタを必要とするといったことがなく、シンプルで安価なテレビドアホンシステムを提供することが出来るようになる。
【図面の簡単な説明】
【図１】従来のテレビドアホンシステムを示すシステム構成図である。
【図２】この発明によるテレビドアホンシステムの実施形態の一例を示すシステム構成図である。
【図３】同テレビドアホンシステムのコードレス電話機の親機の回路構成を示すブロック図である。
【図４】同例における子機の回路構成を示すブロック図である。
【符号の説明】
１０　　　　…玄関子機（ドアホン子機）
１０Ａ　　　…マイクロホン（音声信号出入力部材）
１０Ｂ　　　…スピーカ（音声信号出入力部材）
１０Ｃ　　　…音声回路（音声信号出入力部材）
１０Ｄ　　　…ＣＣＤカメラ（撮像部材）
１０Ｅ　　　…映像回路（撮像部材）
１０Ｆ　　　…ミキシング回路（混合部材）
１１　　　　…ターミナルボックス（ターミナル装置）
１１Ａ　　　…フィルタ回路（フィルタ部材）
１１Ｂ　　　…スイッチ回路（切替部材）
１２　　　　…親機
１２Ｇ　　　…ＣＰＵ
１２Ｉ　　　…ドライバ
１２Ｊ　　　…ディスプレイ
１２Ｋ　　　…ミキシング回路（混合部材）
１２Ｅ　　　…無線送受信回路
１３　　　　…子機
１３Ｂ　　　…無線送受信回路
１３Ｄ　　　…ＣＰＵ
１３Ｆ　　　…ドライバ
１３Ｇ　　　…ディスプレイ
１３Ｊ　　　…フィルタ回路（フィルタ部材）
Ｎ　　　　　…公衆電話回線網
【図１】
2004112154.tif 000003
【図２】
2004112154.tif 000004
【図３】
2004112154.tif 000005
【図４】
2004112154.tif 000006